(57)【要約】      （修正有）【課題】ムービングプレートの引き戻し作業を容易にできるようにすると共に、ムービングプレートを容易に確認できるようにする。【解決手段】雄コネクタ１０であって、雌コネクタの雌ハウジングが嵌合可能なフード部１３を有する雄ハウジング１２と、平板状のプレート本体を有し、フード部１３内において初期位置と完了位置との間を変位可能に設けられたムービングプレート４０と、フード部１３を内外に貫通して設けられた貫通孔を通してフード部１３の外側に露出するようにプレート本体に設けられ、押圧操作することでムービングプレート４０を完了位置から初期位置へ変位させる押圧操作部４４とを備える構成とした。【選択図】図３
2016213084.tif 000002
【特許請求の範囲】
【請求項１】
相手側ハウジングが嵌合可能なフード部を有するハウジングと、
板状のプレート本体を有し、前記フード部内において初期位置と完了位置との間を変位可能に設けられたムービングプレートと、
前記フード部を内外に貫通して設けられた貫通孔を通して前記フード部の外側に露出するように前記プレート本体に設けられ、押圧操作することで前記ムービングプレートを前記完了位置から前記初期位置へ変位させる押圧操作部とを備えるコネクタ。
【請求項２】
前記押圧操作部は、前記フード部から突出することで、前記フード部の前記貫通孔から露出しており、
前記完了位置における前記フード部からの前記押圧操作部の突出量は、前記初期位置における前記フード部からの前記押圧操作部の突出量よりも多く設定されている請求項１に記載のコネクタ。
【請求項３】
前記プレート本体には、前記相手側ハウジング側に向けて延びるガイドレールが設けられ、前記フード部の内壁には、前記ムービングプレートが初期位置と完了位置との間を変位する際に、前記ガイドレールが嵌合して案内されるガイド溝が凹設されており、
前記押圧操作部は、前記プレート本体から前記相手側ハウジングが嵌合する方向に直線状に延びて形成され、前記ムービングプレートを前記フード部内に組み付ける際に、前記プレート本体よりも先に前記フード部内に進入し前記ガイド溝内に嵌合して案内される請求項１または請求項２に記載のコネクタ。
【請求項４】
前記フード部内に前記相手側ハウジングが嵌合される過程において前記プレート本体が前記相手側ハウジングに押圧されることで前記ムービングプレートが前記初期位置から前記完了位置に変位する請求項１から請求項３のいずれか一項に記載のコネクタ。
【請求項５】
前記押圧操作部は、前記プレート本体から前記ハウジングの外面に沿って前記相手側ハウジングが嵌合する方向に延びるリブ状に形成されており、前記押圧操作部の先端部には前記ハウジングの外面に向かってテーパ状に傾斜する指当て部が設けられている請求項１から請求項４のいずれか一項に記載のコネクタ。
【請求項６】
前記ムービングプレートの前記プレート本体は横長に形成されており、
前記押圧操作部は、前記プレート本体の横方向両側に一対設けられている請求項１から請求項５のいずれか一項に記載のコネクタ。
【発明の詳細な説明】
【技術分野】
【０００１】
本明細書によって開示される技術は、コネクタに関する。
【背景技術】
【０００２】
例えば、ムービングプレートを備えた雄コネクタとして、特開２００６−２５３０７４号公報（下記特許文献１）に記載のものが知られている。この雄コネクタは、雌コネクタが嵌合可能なフード部を有する雄ハウジングと、雄ハウジングに保持された雄端子を抜け止めするリテーナと、このリテーナに装着されフード部内において初期位置と完了位置との間を変位可能なムービングプレートと、フード部内に嵌合可能な雌ハウジングとを備えて構成されており、リテーナには、ムービングプレートを初期値にロックする撓み変形可能な係止片が設けられている。
【０００３】
この係止片は、フード部内に雌ハウジングが嵌合される過程において、雌ハウジングに設けられた解除部が係止片を押圧して撓み変形させることで、係止片によるムービングプレートのロックを解除する。そして、ロックが解除されたムービングプレートは、雌ハウジングに押し込まれることで初期位置から嵌合位置に変位するようになっている。
【先行技術文献】
【特許文献】
【０００４】
【特許文献１】特開２００６−２５３０７４号公報
【発明の概要】
【発明が解決しようとする課題】
【０００５】
ところで、この雄コネクタは、フード部内に雌ハウジングが嵌合される際に、ムービングプレートは初期位置から嵌合位置に変位するものの、フード部から雌ハウジングが離脱した後は、フード部内に治具などを差し込んでムービングプレートを完了位置から初期位置に引き戻す必要があるため、ムービングプレートの引き戻し作業が煩雑となってしまう。また、上記のコネクタによると、ムービングプレートがフード部内に配されているため、ムービングプレートの装着の有無やムービングプレートの配置が判断しづらく、ムービングプレートの装着し忘れや初期位置への引き戻し忘れが懸念される。
【０００６】
本明細書では、ムービングプレートの引き戻し作業を容易にできるようにすると共に、ムービングプレートを容易に確認できるようにする技術を開示する。
【課題を解決するための手段】
【０００７】
本明細書によって開示される技術は、コネクタであって、相手側ハウジングが嵌合可能なフード部を有するハウジングと、板状のプレート本体を有し、前記フード部内において初期位置と完了位置との間を変位可能に設けられたムービングプレートと、前記フード部を内外に貫通して設けられた貫通孔を通して前記フード部の外側に露出するように前記プレート本体に設けられ、押圧操作することで前記ムービングプレートを前記完了位置から前記初期位置へ変位させる押圧操作部とを備える構成とした。
【０００８】
このような構成のコネクタによると、フード部から露出した押圧操作部を押圧操作することで、ムービングプレートを完了位置から初期位置へ引き戻すことができるから、例えば、治具などを用いてムービングプレートを完了位置から初期位置に引き戻す場合に比べて、引き戻し作業を容易に実施することができる。
また、例えば、押圧操作部が設けられていないムービングプレートの場合、フード部内にプレート本体が配されているため、ムービングプレートの装着の有無が確認しにくいといった嫌いがあるところ、上記の構成によると、貫通孔を通して露出した押圧操作部を容易に確認することができるから、ムービングプレートの装着の有無を容易に確認することができる。
【０００９】
本明細書によって開示されるコネクタは、以下の構成としてもよい。
前記押圧操作部は、前記フード部から突出することで、前記フード部の前記貫通孔から露出しており、前記完了位置における前記フード部からの前記押圧操作部の突出量は、前記初期位置における前記フード部からの前記押圧操作部の突出量よりも多く設定されている構成としてもよい。
【００１０】
このような構成によると、貫通孔からの押圧操作部の突出量を確認することでムービングプレートが初期位置と完了位置とのいずれの位置に配されているかを容易に確認することができるから、ムービングプレートの初期位置への戻し忘れを抑制することができる。
【００１１】
前記プレート本体には、前記相手側ハウジング側に向けて延びるガイドレールが設けられ、前記フード部の内壁には、前記ムービングプレートが初期位置と完了位置との間を変位する際に、前記ガイドレールが嵌合して案内されるガイド溝が凹設されており、前記押圧操作部は、前記プレート本体から前記相手側ハウジングが嵌合する方向に延びて形成され、前記ムービングプレートを前記フード部内に組み付ける際に、前記プレート本体よりも先に前記フード部内に進入し前記ガイド溝内に嵌合して案内される構成としてもよい。
【００１２】
ムービングプレートのプレート本体は、板状をなしているため、フード部内にムービングプレートを挿入する際、プレート本体が傾くなど不正な姿勢で挿入されてしまうことが懸念される。ところが、このような構成によると、プレート本体がフード部内に嵌合される前に押圧操作部がフード部のガイド溝に嵌合して案内されるから、プレート本体がフード部内に不正な姿勢で挿入されることを防ぐことができる。
【００１３】
前記フード部内に前記相手側ハウジングが嵌合される過程において前記プレート本体が前記相手側ハウジングに押圧されることで前記ムービングプレートが前記初期位置から前記完了位置に変位する構成としてもよい。
このような構成によると、フード部内に相手側ハウジングが嵌合されることで、ムービングプレートを初期位置から完了位置に変位させることができ、フード部から相手側ハウジングが離脱した後は、押圧操作部によってムービングプレートを完了位置から初期位置に引き戻すことができる。
【００１４】
前記押圧操作部は、前記プレート本体から前記ハウジングの外面に沿って前記相手側ハウジングが嵌合する方向に延びるリブ状に形成されており、前記押圧操作部の先端部には前記ハウジングの外面に向かってテーパ状に傾斜する指当て部が設けられている構成としてもよい。
このような構成によると、指当て部に指を当てて押圧操作部を押圧操作することができるから、ムービングプレートを完了位置から初期位置に変位させる際に、指が押圧操作部に対して滑らないように固定され、ムービングプレートを滑らかに移動させることができる。
【００１５】
前記ムービングプレートの前記プレート本体は横長に形成されており、前記押圧操作部は、前記プレート本体の横方向両側に一対設けられている構成としてもよい。
このような構成によると、一対の前記押圧操作部を横方向両側から摘まむように指当て部に指を当てて押圧操作部を押圧操作できるから、プレート本体が幅方向に傾いてしまうことを抑制しつつ、ムービングプレートを完了位置から初期位置に変位させることができる。
【発明の効果】
【００１６】
本明細書によって開示される技術によれば、ムービングプレートの引き戻し作業を容易にできるようにすると共に、ムービングプレートを容易に確認できるようにする。
【図面の簡単な説明】
【００１７】
【図１】ムービングプレートが初期位置に配された状態の雄コネクタの斜視図
【図２】同正面図
【図３】ムービングプレートが完了位置に配された状態の雄コネクタの斜視図
【図４】雄コネクタとムービングプレートを組み付ける前の雌コネクタとを向かい合わせに配置した状態の斜視図
【図５】雄ハウジングの正面図
【図６】同背面図
【図７】ムービングプレートの正面図
【図８】同背面図
【図９】雌ハウジングの正面図
【図１０】雄コネクタと雌コネクタとが嵌合された状態を雄コネクタの正面から視た正面図
【発明を実施するための形態】
【００１８】
＜実施形態＞
実施形態について図１から図１０を参照して説明する。
本実施形態は、前方に向かって開口するフード部１３を有する雄コネクタ（「コネクタ」の一例）１０を例示しており、雄コネクタ１０のフード部１３内には、雌コネクタ５０が嵌合可能とされている。なお、以下の説明において、上下方向とは、図２、図７および図９の上下方向を基準とし、左右方向とは図２、図７および図９の左右方向を基準とする。また、前後方向とは、図４における雄コネクタ１０と雌コネクタ５０との嵌合方向を基準とし、両コネクタ１０，５０が互いに嵌合する側を前側として説明する。
【００１９】
雌コネクタ５０は、図示しない複数の雌端子と、複数の雌端子を収容する合成樹脂製の雌ハウジング（「相手側ハウジング」の一例）５１とを備えて構成されている。
雌ハウジング５１は、図４および図９に示すように、略方形のブロック状をなしており、雌ハウジング５１の内部には、雌端子が個別に収容される複数のキャビティ５２が前後方向に貫通して設けられている。
【００２０】
雌ハウジング５１の左右両側の外側面には、前後に延びる一対の外側ガイド溝５３がキャビティ５２側である内側に凹んで形成されている。各外側ガイド溝５３は、図４に示すように、上下方向に幅広な幅広溝５４と、上下方向に幅狭で前後方向に延びる上下一対の幅狭溝５５とを備えて構成されている。上下一対の幅狭溝５５は、雌ハウジング５１の前部に配されており、一対の幅狭溝５５は、幅広溝５４の後方において幅広溝５４と前後方向に連通するようにして配されている。
【００２１】
各幅広溝５４の前端部には、略方形のブロック状をなす押圧突部５６が突設されており、この押圧突部５６は、雌ハウジング５１を前方から視た際に、幅狭溝５５から外れるように一対の幅狭溝５５間に配されている。
雄コネクタ１０は、図１から図３に示すように、雌コネクタ５０の雌端子に接続される雄端子１１と、複数の雄端子１１を収容する合成樹脂製の雄ハウジング（「ハウジング」の一例）１２と、雄ハウジング１２に装着されるムービングプレート４０とを備えて構成されている。
【００２２】
雄ハウジング１２は、図４から図６に示すように、前方に開口するフード部１３の後方に端子収容部１４が設けられた形態とされている。
端子収容部１４は、図１、図５および図６に示すように、左右方向に横長のブロック状に形成されており、端子収容部１４の内部には、雄端子１１が個別に収容される複数のキャビティ１５が上下左右に整列して形成されている。
各キャビティ１５は、端子収容部１４を前後方向に貫通することで、図５に示すように、フード部１３の奥壁１３Ａに開口して形成されており、各キャビティ内には、雄端子１１が奥壁１３Ａの開口から前方に突出した状態で収容されている。
【００２３】
雄端子１１は、図３に示すように、前後に長い平板状のタブ状接続部１１Ａを有し、タブ状接続部１１Ａの後方において電線Ｗが接続された形態をなしている。
フード部１３は、図４および図６に示すように、前方に向けて略矩形状に開口した形態で、端子収容部１４よりも上下左右方向にやや大きく形成されており、フード部１３内には、合成樹脂製のムービングプレート４０が、図１に示す初期位置と図３に示す完了位置との間を前後方向に変位可能に前方から装着されている。また、フード部１３内には、ムービングプレート４０が装着された後、雌ハウジング５１が前方から嵌合可能とされている。
【００２４】
フード部１３の左右両側の内壁１３Ｂには、図３から図５に示すように、前後方向に延びる上下一対の内側ガイド溝１６が凹設されている。
各内側ガイド溝１６は、図５に示すように、フード部１３内である内側に向かって開口するようにして正面視略矩形状に形成され、外側に凹んだ形態をなしている。また、各内側ガイド溝１６は、フード部１３の前端開口縁からフード部１３の奥壁１３Ａに向けて直線状に延びており、各内側ガイド溝１６内には、後述するムービングプレート４０のガイドレール４２が前方から嵌合されるようになっている。
【００２５】
ムービングプレート４０は、合成樹脂によって形成されており、図４、図７および図８に示すように、平板状のプレート本体４１と、プレート本体４１の左右両側縁部にそれぞれ設けられた上下一対のガイドレール４２とを備えて構成されている。なお、ムービングプレート４０の合成樹脂は、雄ハウジング１２と同色の合成樹脂を用いてもよく、雄ハウジング１２と異色の合成樹脂を用いて形成してもよい。
【００２６】
プレート本体４１は、図７および図８に示すように、左右方向に横長な正面視略矩形状をなしており、プレート本体４１には、上下左右に整列された複数の位置決め孔４３が、雄ハウジング１２の端子収容部１４における各キャビティ１５に対応して設けられている。これらの位置決め孔４３には、ムービングプレート４０がフード部１３内に装着された際に、フード部１３内に突出した雄端子１１のタブ状接続部１１Ａがそれぞれ挿通されるようになっており、位置決め孔４３の開口縁部によってタブ状接続部１１Ａが上下左右に傾かないように位置決めされるようになっている。
【００２７】
プレート本体４１の左右両側に配された合計４つのガイドレール４２は、何れもプレート本体４１から前方に向けて直線状に延びる正面視略矩形の角柱状をなしており、これらのガイドレール４２は、フード部１３内における各内側ガイド溝１６および雌ハウジング５１の各幅狭溝５５に対応する配置で形成されている。
【００２８】
各ガイドレール４２は、ムービングプレート４０をフード部１３内に組み付ける際に、対応するそれぞれの内側ガイド溝１６内に前方から嵌合されるようになっており、各ガイドレール４２は、ムービングプレート４０が初期位置に配されると、フード部１３内に完全に収容されるようになっている。また、ガイドレール４２は、ムービングプレート４０が初期位置と完了位置と間を変位する際に、内側ガイド溝１６内を前後方向に案内されることで、板状のプレート本体４１が前後左右に傾いた不正な姿勢になることを防ぐようになっている。
【００２９】
また、各ガイドレール４２は、図１０に示すように、内側ガイド溝１６からフード部１３の内側にやや突出した状態で内側ガイド溝１６内に嵌合されるようになっており、各ガイドレール４２においてフード部１３内に配された部分は、フード部１３に嵌合される雌ハウジング５１の各幅狭溝５５にそれぞれ嵌合されるようになっている。
【００３０】
つまり、ムービングプレート４０は、フード部１３の内側ガイド溝１６にガイドレール４２を嵌合させることで、不正な姿勢になることなく正規の姿勢で初期位置と完了位置との間を前後方向に変位するようになっており、雌ハウジング５１は、内側ガイド溝１６に嵌合されたガイドレール４２に幅狭溝５５を嵌合させることで、フード部１３内を前後左右に傾いた不正な姿勢になることなく正規の姿勢で前後に変位するようになっている。
【００３１】
また、フード部１３の内壁１３Ｂにおける内側ガイド溝１６のさらに奥部には、図３に示すように、互いに内側に向かって対向する一対のプレート保持片１７が設けられている。
各プレート保持片１７は、フード部１３の奥壁１３Ａから前方に向かって延びる平板状をなし、プレート保持片１７の基端部を支点に互いに外側に向けて弾性変位可能とされている。一対のプレート保持片１７の前端部内面には、図３に示すように、ムービングプレート４０のプレート本体４１における左右の側縁部がそれぞれ嵌合可能な係止凹部１８が形成されており、係止凹部１８内にプレート本体４１における左右方向両側の側縁部が嵌合することで、図２に示すように、ムービングプレート４０が初期位置に保持されるようになっている。
【００３２】
また、プレート保持片１７には、フード部１３と雌ハウジング５１とが嵌合および離脱する過程において、雌ハウジング５１の押圧突部５６が乗り上げるようになっており、押圧突部５６がプレート保持片１７に乗り上げると、プレート保持片１７が外側に向けて弾性変位するようになっている。これにより、プレート本体４１の側縁部とプレート保持片１７の係止凹部１８との嵌合が解除され、ムービングプレート４０が前後に変位可能となるように構成されている。
【００３３】
つまり、ムービングプレート４０は、フード部１３と雌ハウジング５１との嵌合過程において、プレート本体４１の側縁部とプレート保持片１７の係止凹部１８との嵌合が解除されることで前後に変位可能となり、その後、雌ハウジング５１に前方から押圧されることで完了位置に向かって変位するようになっている。
【００３４】
そして、フード部１３と雌ハウジング５１とが正規の嵌合状態に至ると、プレート本体４１が雌ハウジング５１とフード部１３の奥壁１３Ａとによって前後から挟まれた状態となり、ムービングプレート４０が完了位置に配される。また、プレート本体４１が完了位置に配されると、雄端子１１のタブ状接続部１１Ａが雌ハウジング５１のキャビティ５２内に進入し、雄端子１１と雌端子とが電気的に接続されるようになっている。
【００３５】
さて、フード部１３の奥壁１３Ａには、図５および図６に示すように、フード部１３を内外に貫通して設けられた一対の貫通孔１９が設けられており、ムービングプレート４０のプレート本体４１には、フード部１３の一対の貫通孔１９を貫通して配される一対の押圧操作部４４が設けられている。
【００３６】
各貫通孔１９は、フード部１３の奥壁１３Ａにおける端子収容部１４よりも左右にやや大きく広がった部分であって、上側の内側ガイド溝１６の前方に配されており、フード部１３の奥壁１３Ａを前後方向に貫通して形成されている。
【００３７】
また、各貫通孔１９は、上下方向に縦長な正面視略矩形状に形成されており、フード部１３を前方から視た際に、貫通孔１９における外側半分の形状と内側ガイド溝１６における外側半分の形状とが前後方向に一致する構成とされている。
【００３８】
また、貫通孔１９の後方における端子収容部１４の外側面１４Ａには、端子収容部１４に沿うようにして貫通孔から後方に直線状に延びる補助ガイド溝２０が設けられている。これらの補助ガイド溝２０は、互いに近づく方向に凹んだ形態で端子収容部１４に形成されており、端子収容部側１４を後方から視た際に、補助ガイド溝２０における内側半分の形状が、貫通孔１９の内側半分の形状と前後方向に一致する構成とされている。
【００３９】
一方、一対の押圧操作部４４は、左右方向に互いに対向するようにして上側の２本のガイドレール４２の後方に一体に設けられている。詳細には、一対の押圧操作部４４は、２本のガイドレール４２の後端からそれぞれ後方（雌ハウジング５１が嵌合する方向）に向けてリブ状に真っ直ぐ延びて形成されている。
【００４０】
また、各押圧操作部４４は、その左右方向の厚み寸法が、ガイドレール４２における左右方向の厚み寸法の半分程度に設定されると共に、各押圧操作部４４の外側面４４Ａが対応するガイドレール４２の外側面４２Ａと面一状に設定されており、フード部１３の貫通孔１９に適合して貫通される大きさとされている。
言い換えると、各押圧操作部４４は、上側に配された２本のガイドレール４２の後端外側の位置に、貫通孔１９に適合して貫通されるようにガイドレール４２の半分程度の厚み寸法で設けられている（図４参照）。
【００４１】
また、一対の押圧操作部４４は、ムービングプレート４０をフード部１３内に組み付ける際に、プレート本体４１がフード部１３内に進入するよりも先に内側ガイド溝１６内に嵌合されるようになっており、一対の押圧操作部４４が内側ガイド溝１６内に嵌合して案内されることで、プレート本体４１を不正な姿勢にさせることなく、フード部１３内に案内することができるようになっている。
【００４２】
そして、ムービングプレート４０が初期位置に配されると、図１に示すように、一対の押圧操作部４４の後端部が貫通孔１９から後方に沿うようにして補助ガイド溝２０の前端部に配される。また、ムービングプレート４０が嵌合位置に配されると、図３に示すように、一対の押圧操作部４４のほぼ全体が貫通孔１９から後方に露出して端子収容部１４の外面に沿うように補助ガイド溝２０内に配され、押圧操作部４４の後端部が補助ガイド溝２０の前後方向略中央部に配される。つまり、完了位置において押圧操作部４４が貫通孔１９から外側に突出する量は、初期位置において押圧操作部４４が貫通孔１９から外側に突出する量よりも多くなっている。
【００４３】
また、一対の押圧操作部４４の後端部（先端部）には、図４に示すように、後方に向かうほど互いに内側に向けて傾斜するテーパ状の指当て部４５が形成されている。この一対の指当て部４５は、左右方向両側から包まれるむようにして後方から指を沿えることができるようになっており、一対の指当て部４５を後方から前方に向けて指によって押圧することで、ムービングプレート４０を嵌合位置から初期位置に容易に変位させることができるようになっている。
【００４４】
つまり、ムービングプレート４０は、両コネクタ１０，５０を嵌合させる際には、雌ハウジング５１によって前方から押圧されることで、初期位置から完了位置まで変位し、両コネクタ１０，５０が離脱した後は、一対の押圧操作部４４を前方に向けて押圧することでムービングプレート４０を完了位置から初期位置に容易に変位させることができるようになっている。
【００４５】
本実施形態は、以上のような構成であって、続いて、雄コネクタ１０の組み立て手順の一例を簡単に説明する。
まず、図４に示すように、雄ハウジング１２の前方にムービングプレート４０を配し、ムービングプレート４０の押圧操作部４４を雄ハウジング１２のフード部１３における上側の内側ガイド溝１６に嵌合させつつ、プレート本体４１をフード部１３内に進入させる。ここで、仮に、ムービングプレートに押圧操作部が設けられていない場合、平板状のプレート本体がガイドレールよりも先にフード部内に進入することになるため、プレート本体が前後左右に傾いた不正な姿勢で組み付けられる虞があり、ムービングプレートをフード部内に円滑に組み付けることができなくなってしまう。
【００４６】
ところが、本実施形態によると、プレート本体４１には、プレート本体４１から後方に向けてリブ状に延びる一対の押圧操作部４４が設けられており、この一対の押圧操作部４４を、まずフード部１３の上側の内側ガイド溝１６に嵌合させ、この押圧操作部４４が内側ガイド溝１６によって案内されている状態で、プレート本体４１をフード部１３内に進入させることができるから、プレート本体４１を不正な姿勢にさせることなくフード部１３内にムービングプレート４０を組み付けることができる。
【００４７】
そして、ムービングプレート４０がフード部１３内における初期位置に至ると、プレート本体４１の左右方向両側の側縁部が、フード部１３における一対のプレート保持片１７の係止凹部１８内に嵌合し、ムービングプレート４０が初期位置に保持される。
【００４８】
また、ムービングプレート４０が初期位置に保持されると、図１に示すように、一対の押圧操作部４４の指当て部４５が貫通孔１９から後方に露出して補助ガイド溝２０の前端部に配される。
つまり、プレート本体４１およびガイドレール４２がフード部１３内に完全に収容されることで、フード部１３の外側からプレート本体４１およびガイドレール４２を確認し難くなるけれども、一対の押圧操作部４４における指当て部４５が貫通孔１９から後方外側に露出して補助ガイド溝２０内に配されるから、雄コネクタ１０の外側面を確認するだけで、ムービングプレート４０の装着の有無を容易に確認することができる。なお、ここで、ムービングプレート４０と雄ハウジング１３とが異なる合成樹脂によって形成されている場合には、ムービングプレート４０の装着の有無を確実に確認することができる。
【００４９】
そして、雄ハウジング１２のフード部１３にムービングプレート４０が組み付けられたところで、端子収容部１４の各キャビティ１５に雄端子１１を後方から挿入し、雄コネクタ１０を完成させる。
【００５０】
次に、雄コネクタ１０と雌コネクタ５０との嵌合および離脱操作を説明すると共に、その作用および効果について説明する。
雄コネクタ１０と雌コネクタ５０とを嵌合させる際には、まず、雄コネクタ１０と雌コネクタ５０とを互いに向かい合わせに配置し、両コネクタ１０，５０を互いに近づけることで、雄ハウジング１２のフード部１３内に雌ハウジング５１を嵌合させる。
【００５１】
この嵌合過程では、まず、雌ハウジング５１の押圧突部５６がプレート保持片１７に乗り上げることでプレート保持片１７が外側に向けて弾性変位し、プレート本体４１の側縁部とプレート保持片１７の係止凹部１８との嵌合が解除されることで、ムービングプレート４０の保持状態が解除される。
【００５２】
この状態からさらに雌ハウジング５１をフード部１３内に嵌合させると、プレート本体４１が雌ハウジング５１に前方から押圧され、ムービングプレート４０が完了位置に向かって変位する。そして、フード部１３と雌ハウジング５１とが正規の嵌合状態に至ると、プレート本体４１が雌ハウジング５１とフード部１３の奥壁１３Ａとによって前後から挟まれてムービングプレート４０が完了位置に配され、雄端子１１のタブ状接続部１１Ａが雌ハウジング５１のキャビティ５２内に進入することで、雄端子１１と雌端子とが電気的に接続される。
【００５３】
また、ムービングプレート４０が嵌合位置に配されると、図３に示すように、一対の押圧操作部４４のほぼ全体が貫通孔１９から後方に露出して端子収容部１４の外面に沿うように補助ガイド溝２０内に配され、指当て部４５が補助ガイド溝２０の前後方向略中央部に配される。
【００５４】
次に、雄コネクタ１０と雌コネクタ５０との離脱操作について説明する。
雄コネクタ１０と雌コネクタ５０とを離脱させる際には、雄コネクタ１０のフード部１３と雌コネクタ５０とを互いに引き離すよう操作する。
この離脱過程では、まず、雄端子１１と雌端子との接続が解除された後、フード部１３から雌ハウジング５１が離脱することで両コネクタ１０，５０の離脱が完了する。
【００５５】
そして、最後に、左右方向両側から一対の指当て部４５を摘まむようにして後方から指を沿え、一対の押圧操作部４４を後方から前方に向けて指によって押圧することで、ムービングプレート４０を嵌合位置から初期位置に容易に変位させる。これにより、ムービングプレート４０が初期位置に配され、雄コネクタ１０が雌コネクタ５０との嵌合前の状態となる。
【００５６】
つまり、本実施形態によると、フード部１３から外側に露出した一対の押圧操作部４４を前方に向けて押圧操作することで、ムービングプレート４０を完了位置から初期位置へ引き戻すことができるから、例えば、治具などを用いてムービングプレートを完了位置から初期位置に引き戻す場合に比べて、引き戻し作業を容易に実施することができる。
【００５７】
また、プレート本体４１は左右方向に横長に形成されているけれども、プレート本体４１の左右方向両側に一対の押圧操作部４４が設けられており、この一対の押圧操作部４４を左右方向両側から摘まむようにして指当て部４５に指を沿えて押圧操作部４４を押圧操作できるから、プレート本体４１が左右方向に傾いてしまうことを抑制しつつ、ムービングプレート４０を完了位置から初期位置に円滑に変位させることができる。また、一対の指当て部４５は、テーパ状に形成されているから、指を押圧操作部４４に対して滑らないように固定でき、ムービングプレート４０をより円滑に変位させることができる。
【００５８】
ところで、例えば、ムービングプレートに押圧操作部が設けられていない場合、ムービングプレートが初期位置または完了位置の何れに配されているかを確認するには、フード部内を覗き込むことによってプレート本体などの状態を確認しななければならないといった嫌いがある。ところが、本実施形態によると、フード部１３の貫通孔１９からの押圧操作部４４の突出量を確認することで、ムービングプレート４０が初期位置と完了位置の何れに配されているかを容易に確認することができるから、両コネクタ１０，５０を離脱させた後に、ムービングプレート４０の初期位置への戻し忘れを防ぐことができるようになっている。
【００５９】
以上のように、本実施形態によると、ムービングプレート４０に一対の押圧操作部４４を設け、この一対の押圧操作部４４を、外側から操作可能にフード部１３の貫通孔から外側に露出させているから、治具などを用いることなく、ムービングプレート４０を完了位置から初期位置に容易に引き戻すことができる。
【００６０】
また、ムービングプレート４０を完了位置から初期位置に引き戻す一対の押圧操作部４４を確認することで、ムービングプレート４０の装着の有無およびムービングプレート４０の配置を容易に確認することができるから、ムービングプレート４０の装着のし忘れや引き戻し作業のし忘れを確認するための機能を別途設けることなく、ムービングプレート４０の装着のし忘れや引き戻し作業のし忘れに起因した不具合を防ぐことができる。
【００６１】
＜他の実施形態＞
本明細書で開示される技術は上記記述及び図面によって説明した実施形態に限定されるものではなく、例えば次のような種々の態様も含まれる。
（１）上記実施形態では、押圧操作部４４をガイドレール４２の後方に一体に設けた構成とした。しかしながら、これに限らず、押圧操作部を、上下一対のガイドレールの間に設けてもよく、プレート本体の上下縁部に設けてもよい。
（２）上記実施形態では、指当て部４５をテーパ状に構成した。しかしながら、これに限らず、指掛け部を階段状に構成してもよく、左右方向や上下方向に広がる大きな面に構成してもよい。
【符号の説明】
【００６２】
５１：雌ハウジング（相手側ハウジング）
１３：フード部
１２：雄ハウジング（ハウジング）
４１：プレート本体
４０：ムービングプレート
１９：貫通孔
４４：押圧操作部
４２：ガイドレール
１６：内側ガイド溝（ガイド溝）
４５：指当て部
【図１】
2016213084.tif 000003
【図２】
2016213084.tif 000004
【図３】
2016213084.tif 000005
【図４】
2016213084.tif 000006
【図５】
2016213084.tif 000007
【図６】
2016213084.tif 000008
【図７】
2016213084.tif 000009
【図８】
2016213084.tif 000010
【図９】
2016213084.tif 000011
【図１０】
2016213084.tif 000012